(57)【要約】【課題】堅牢性と、収容したまま良好に通信できる通信性と、出し入れ操作の良好な操作性とを兼ね備えた携帯通信装置用ケースを提供する。【解決手段】開口部２１を有するケース本体２と、ケース本体２の裏面側から延設して開口部２１を塞ぐ蓋部３とを備え、ケース本体２に収容した状態でも携帯通信装置１による外部との通信を可能にする携帯通信装置用ケースであって、ケース本体２の表面から延設し開口部２１を蓋部３で塞ぐのに先立ち開口部２１を塞ぐ保持部４を備え、保持部４の内面には、ケース本体２に収納された携帯通信装置の開口部２１に臨む上面側を固定・保持する第１緩衝部材５２を固設した。【選択図】  図８
2004248887.tif 000002
【特許請求の範囲】
【請求項１】
上部に開口部を有し携帯通信装置を収容する略箱状のケース本体と、前記ケース本体の一面側において前記開口部を臨む上部から延設し前記開口部を塞ぐ蓋部とを備え、前記携帯通信装置を前記ケース本体に収容した状態で外部との通信を行う携帯通信装置用ケースであって、
前記ケース本体の前記一面側とは異なる面側において前記開口部を臨む上部から延設し、前記開口部を前記蓋部で塞ぐのに先立ち前記開口部に向けて折曲させる保持部を有するとともに、
前記保持部の内面には、前記ケース本体に収納された携帯通信装置の前記開口部に臨む上面側を保持するための第１緩衝部材を固設していることを特徴とする携帯通信装置用ケース。
【請求項２】
前記ケース本体の内面には、外部からの衝撃から前記携帯通信装置を保護する第２緩衝部材を備えることを特徴とする請求項１に記載の携帯通信装置用ケース。
【請求項３】
前記蓋部には、前記ケース本体に収納された前記携帯通信装置のアンテナを外部に露出させるための切欠部を有することを特徴とする請求項１または２に記載の携帯通信装置用ケース。
【請求項４】
前記ケース本体には、前記ケース本体に収納された前記携帯通信装置の通信状態を確認する透明部を設けていることを特徴とする請求項１から３のいずれか１項に記載の携帯通信装置用ケース。
【請求項５】
前記ケース本体には、前記携帯通信装置の操作を前記ケース本体に収容させた状態のまま行う開口部を設けていることを特徴とする請求項１から４のいずれか１項に記載の携帯通信装置用ケース。
【請求項６】
前記第１緩衝部材は、前記ケース本体に収容する前記携帯通信装置の前記開口部に望む上面の形状に倣った固有形状を有することを特徴とする請求項１乃至５のいずれか１項に記載の携帯通信装置用ケース。
【請求項７】
前記第２緩衝部材は、前記ケース本体の内面の互いに対向する左右両側壁面の一部に設けていることを特徴とする請求項１乃至６のいずれか１項に記載の携帯通信装置用ケース。
【発明の詳細な説明】
【０００１】
【発明の属する技術分野】
本発明は、携帯通信装置を収容した状態のまま通信可能な携帯通信装置用ケースに関するものである。
【０００２】
【従来の技術】
携帯通信装置、例えば携帯電話機、携帯無線機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）などの筐体を収納して保護するために、各種のケースが開発され使用されている。
【０００３】
このようなケースとしては、例えば、形状が自在に変化可能なように薄手の布などの素材を用いて携帯通信装置の筐体全部をそっくり収納できるように形成した袋（巾着）状のケースや、外部からの衝撃をある程度吸収できるように柔軟性のある比較的厚手の材料で形成した一定形状を保持するケースや、携帯通信装置を収容させた状態のまま、他に通信機器などと自由に通信したり、ケーブルを介して他の電子機器などと自由に接続させることができるケースなどが知られている（例えば、特許文献１参照。）。
【０００４】
このようなケースについて、図９を参照しながら以下に具体的に説明する。
このケースは、携帯通信装置１１０を収容させるために開口部１０２を設けたケース本体１０１と、この開口部１０２を開閉する蓋部１０３と、開口部１０３を閉じた後の蓋部１０３をケース本体１０１の外面側に止め付ける止付部１０４などとを備えている。また、このケース本体１０１自身は、この内部に収容させてある携帯通信装置１１０の図示外の操作ボタンなどをケース本体１０１の外部から操作することができるようにするため柔軟性を有するほかに、耐衝撃吸収性、弾力性などを備えた、適宜の素材で形成されている。
【０００５】
しかも、このケースには、携帯通信装置１１０を収容させた状態で外部との通信を確実におこなわせるため、携帯通信装置１１０の筐体１１１から突出するアンテナ１１２がケース本体１０１の蓋部１０３から外部に突出できるように蓋部１０３にアンテナ１１２の先端部を露出させるための孔１０３Ａを開口させている。
【０００６】
従って、このような構成のケースでは、前述したように、携帯通信装置を収容させた状態のまま自由に通信したり他の機器とケーブルを自由に接続させることができるので、その点では好都合である。
【０００７】
しかしながら、このような構成のケースにあっては、ケース本体自体のみで衝撃吸収を行う構成であるので、例えば、携帯通信装置を路面が硬い道路や金属性の材料で形成した床面などにケースごと逆さまの状態で強く落下させたような場合には、そこで生じる大きな衝撃力をケース自体で十分に吸収することができず、ケースに収容する携帯通信装置やアンテナなどを破損させたり、内部の電子部品に故障を招く虞がある。
【０００８】
そこで、このようなケースについては、例えばケース本体に設けた蓋部の内面にある程度の厚さを有する緩衝材を取付け、特にアンテナなどのような細くて強度的に脆弱な携帯通信装置の上部側を衝撃から守るように構成したものなどの開発も検討されている。
【０００９】
ところで、このような携帯通信装置は、ケースごと手で保持していれば、そのまま外部との通信操作などが可能であっても、例えば移動しながら他の仕事を行うような場合には邪魔になるため、通常、その携帯通信装置はケースごと鞄やポケットなどにしまっておかざるを得なかった。
【００１０】
一方、このように携帯通信装置をケースごとしまいこんでしまうと、ケースに収納してある携帯通信装置を操作することができなくなる。そこで、ケースに収納した状態のまま携帯通信装置を操作するには、例えば、室内や車内の壁などにケースをしっかり固定させておくなどの措置が必要となる。
【００１１】
特に、荷物の宅配サービスなどのような運輸・物流業界では、例えば本社のホストコンピュータなどと通信するために運送用のトラックの車内に固定・保持しておく通信アダプタ装置と、運送業者が手で持ち運びながら通信アダプタ装置とＤｏＰａ（ＮＴＴの登録商標）やＢｌｕｅｔｏｏｔｈ（Ｂｌｕｅｔｏｏｔｈ  ＳＩＧ，  Ｉｎｃの登録商標）等を利用して時々刻々と変化する商品配達情報などについての交信を行うハンディ型のバーコードリーダなどとを備えた流通システムが開発されている。そして、このような物流システムでも、通信アダプタ装置を運送用のトラックの車内に固定・保持しておくことができるケースが開発されている。
【００１２】
即ち、このケースには、適宜の固定手段を付設し、例えばケース本体側及び車内の壁側などに適宜の機械的的な係合機構を設けたり、ケース本体側にマグネットを付設して車内の壁側などの磁性体に吸着させて保持するようなものなどが知られている。
【００１３】
【特許文献１】
2004248887.tif 000003
【００１４】
【発明が解決しようとする課題】
しかしながら、このような固定手段でケースを壁などに保持しておくと、例えば携帯通信装置をそのケースから取出したりケースへ収納するような場合には、蓋を開けて携帯通信装置をケースから取出したりしまいこむときに、蓋部の内面側に設けてある前述した厚手の緩衝材が邪魔になって、出し入れし難いので使い勝手が悪い。
【００１５】
即ち、これは、開口部を露出させて使用者がケースから携帯通信装置を出し入れできるようにするには、ケースの外面のうち蓋部を取付けている方の外面（以下、これを裏面とよぶ。図９では１０１Ａで示す部分。）を壁側に固定させなければならない。ところが、このような取付け状態にすると、蓋部を大きく開口させたとしても、壁のところで邪魔して蓋部を９０度以上開かせることができない。このような事情から、蓋部を９０度近く回動させてできるだけ大きく開放しても、蓋部の内面にある前述した厚手の緩衝材が開口部を大きく覆ってしまうわけである。
【００１６】
そこで、本発明は、上記した事情に鑑み、外部からの衝撃に強いだけでなく、収容した状態のまま外部と通信できるとともに、壁などに固定・保持したときにも携帯通信装置の出し入れが容易であり、換言すれば、堅牢性と、収容したまま良好に通信できる通信性と、出し入れ操作の良好な操作性とを兼ね備えた携帯通信装置用ケースを提供することを目的とするものである。
【００１７】
【課題を解決するための手段】
本発明の携帯通信装置用ケースは、上部に開口部を有し携帯通信装置を収容する略箱状のケース本体と、前記ケース本体の一面側において前記開口部を臨む上部から延設し前記開口部を塞ぐ蓋部とを備え、前記携帯通信装置を前記ケース本体に収容した状態で外部との通信を行う携帯通信装置用ケースであって、
前記ケース本体の前記一面側とは異なる面側において前記開口部を臨む上部から延設し、前記開口部を前記蓋部で塞ぐのに先立ち前記開口部に向けて折曲させる保持部を有するとともに、
前記保持部の内面には、前記ケース本体に収納された携帯通信装置の前記開口部に臨む上面側を保持するための第１緩衝部材を固設していることを特徴としている。
【００１８】
これにより、外部からの衝撃に強いだけでなく、ケースに収容した状態のまま外部と通信できるとともに、ケースを壁などに固定・保持したときにも携帯通信装置の出し入れが容易であり、換言すれば、堅牢性と、収容したまま良好に通信できる通信性と、出し入れ操作の良好な操作性とを兼ね備えた携帯通信装置用ケースを提供することができる。
【００１９】
また、本発明の携帯通信装置用ケースは、前記ケース本体の内面に、外部からの衝撃から前記携帯通信装置を保護する第２緩衝部材を備えることを特徴としている。
【００２０】
これにより、外部からの衝撃に一層強い構造の携帯通信装置用ケースを実現できるようになる。
【００２１】
また、本発明の携帯通信装置用ケースは、前記蓋部に、前記ケース本体に収納された前記携帯通信装置のアンテナを外部に露出させるための切欠部を有することを特徴としている。
【００２２】
これにより、ケースに収容した状態のまま携帯通信装置のアンテナを外部に露出させることができ、外部との通信が一層確実にできるようになる。
【００２３】
また、本発明の携帯通信装置用ケースは、前記ケース本体に、前記ケース本体に収納された前記携帯通信装置の通信状態を確認する透明部を設けていることを特徴としている。
【００２４】
これにより、ケースに収容した状態のまま、その透明部を介してケースの外部から携帯通信装置の通信状態などを確認することができる。
【００２５】
また、本発明の携帯通信装置用ケースは、前記ケース本体に、前記携帯通信装置の操作を前記ケース本体に収容させた状態のまま行う開口部を設けていることを特徴としている。
【００２６】
これにより、ケースに収容した状態のまま、その開口部を介して携帯通信装置のスイッチなどを露出させることができるので、ケースの外部から携帯通信装置のスイッチ操作などを確実に操作することができる。
【００２７】
また、本発明の携帯通信装置用ケースは、前記第１緩衝部材が、前記ケース本体に収容する前記携帯通信装置の前記開口部に望む上面の形状に倣った固有形状を有することを特徴としている。
【００２８】
これにより、第１緩衝部材は、携帯通信装置の上面側に曲面の部分が密着するようになるので、一層確実に携帯通信装置を固定・保持することができる。
【００２９】
また、本発明の携帯通信装置用ケースは、前記第２緩衝部材が、前記ケース本体の内面の互いに対向する左右両側壁面の一部に設けた構成であることを特徴としている。
【００３０】
これにより、ケース本体に作用する外部からの衝撃力を吸収して携帯通信装置をその衝撃から守るだけでなく、携帯通信装置に対する第２緩衝部材の摩擦力を可及的に抑えることができるため、ケース本体から携帯通信装置の出し入れが行い易くなる。
【００３１】
【発明の実施の形態】
以下、本発明に係る実施の形態について、添付図面を参照しながら詳細に説明する。
図１乃至図４は、本発明の実施形態に係る携帯通信装置用ケースを示すものであり、この携帯通信装置用ケースは、携帯通信装置１を収容するようになっており、上部が開口された開口部２１を有する略箱状（または袋状など）に形成されたケース本体２と、このケース本体２の開口部２１を塞ぐ蓋部３と、ケース本体２の蓋部３と対向する位置に設けケース本体２に収容した携帯通信装置１（図６参照）を上部から固定保持する保持部４と、保持部４の内面に設けた第１緩衝部材５２と、ケース本体２の内面に設けた第２緩衝部材５２とを備えている。
【００３２】
携帯通信装置１としては、本実施の形態では、貨物自動車などを運転して荷物の宅配を行う宅配業者が、本部のホストコンピュータなどとの間でリアルタイムに配達状況などを連絡・確認するための宅配システムに用いる通信アダプタ装置に適用されており、携帯通信装置用ケース本体２ごと配達用の貨物自動車の車内、例えば後述する固定手段７を介してダッシュボード（或いはドアの室内側壁面など）に固定保持されている。
【００３３】
また、本実施の形態では、図６乃至図８に示すように、携帯通信装置１として、携帯電話機１１と、この携帯電話機１１を着脱自在に挿着させてこの携帯電話機１１との間を電気的に接続する通信アダプタ１２と、を備えた通信アダプタ装置を用いている。
【００３４】
このうち、この携帯電話機１１は、内蔵するＢｌｕｅｔｏｏｔｈ用モジュールを利用して後述するバーコードリーダ（携帯端末機）との近距離通信を行うように構成されている。
一方、通信アダプタ１２は、内蔵するＤｏＰａ（ＮＴＴの登録商標）用モジュールを利用して図示外の基地局などとの通信のやりとりを行うように構成されている。これにより、この通信アダプタ１２は、バーコードリーダ側から送信されてきた配達情報などを、携帯電話機１１を介して受信すると、その配達情報などを、基地局を介して本部のホストコンピュータへ送信するようになっている。
【００３５】
また、この携帯通信装置１では、ケース本体２に収容した状態のままバーコードリーダとの近距離通信を確実に行うことができるようにするため、携帯電話機１１のアンテナ１１Ａをケース本体２と蓋部３との間から外部へ露出するような状態で収容させることができるように構成されている。
【００３６】
なお、前述したバーコードリーダは、持ち運び可能な小型でハンディタイプのものであり、使用者が手で持ちながら、配達用の各種の荷物に貼付してあるバーコードラベルなどを配達先の玄関などで読取るとともに、その読取った情報を近くに停めてある配達用の貨物自動車内の通信アダプタ装置へ送信するようになっている。
【００３７】
ケース本体２は、ある程度の外的な衝撃力を吸収できるように比較的厚手でソフトな素材、例えば合成繊維や皮革などの適宜の材料で形成されており、前述したように上部には開口した開口部２１を有し、この開口部２１から携帯通信装置１を出し入れするようになっている。
【００３８】
また、このケース本体２は、開口部２１を臨む両側面（マチ）部分が、図１、図２（Ｂ）、図５に示すように、略円弧状の固有形状に膨出した膨出部２９を有しており、これにより、携帯通信装置１を収容したまま上下逆さまに落下させたような場合に、アンテナ１１Ａを地面などへ衝突したときの衝撃から保護するように構成されている。
【００３９】
一方、ケース本体２の下部は閉じているが、この下部には上部側の開口部２１より小さく開口した透孔２６（図８参照）を設けており、この透孔２６には、図３（Ａ）に示すように、開閉自在の略帯状の開閉蓋６が開閉自在に止め付けられている。この開閉蓋６は、例えば車内のシガレットライター側などから充電させるため、コネクタケーブルを携帯通信装置側のコネクタ（図略）と接続する際に開口させるようになっている。
【００４０】
また、このケース本体２には、図５乃至図８に示すように、車内のダッシュボード（或いは、ドアの室内面側或いは部屋の壁面などでもよい）（以下、これを固定部Ｗとよぶ）に安定した状態で固定・保持しておくために、一面（以下、これを裏面とよぶ）側に適宜の固定手段７の一部を取り付けている。
【００４１】
この固定手段７としては、ケース本体２の裏面側に取り付けた受け具７１（図２参照）と、この受け具７１を係合・保持する固定部Ｗの表面に設けた固定具（図略）とを備えている。
【００４２】
即ち、受け具７１は、例えば図４に示すように、中央部が一段盛り上がった中空台形状を有するとともに、この中央部に略十字状に開口して係止孔７１Ａを設けた金具などで形成されている。
一方、固定具は、略十字状に形成して固定部Ｗの表面に突設した突起状の金具で構成されており、受け具７１の係止孔７１Ａがこの固定具に係合・係止するようにして、固定部Ｗにケース本体２を着脱可能に固定させている。
なお、この固定手段７としては、例えば、一方にマグネットを設けると共に、他方に磁性材料を設け、磁力で吸着させるなどの構成のような各種の手段が適用可能である。
【００４３】
さらに、このケース本体２には、固定金具７１を取り付けてある裏面とは反対の表面に透明窓２２，２３を設けているとともに、一方側の側面部分に開口孔２４，２５を設けている。
【００４４】
このうち、透明窓２２，２３は、ケース本体２内部に収容されている携帯通信装置１の携帯電話機１１に設けてある通信状態などの表示ランプやインジケータなどを外部から確認するためのものであり、透明シートで構成されている。
【００４５】
一方、開口孔２４は、通信アダプタ１２と外部の電気機器などとの赤外線通信を行うため通信アダプタ１２に設けた発光部・受光部１２Ａを外部に露出させるものである。他方、開口孔２５は、通信アダプタ１２に設けた操作スイッチ１２Ｂなどを外部から操作するために設けたものである。
【００４６】
また、このケース本体２には、携帯通信装置１を収容させた後に蓋部３をこのケース本体２にしっかりと止め付けるための止付部を設けており、この実施形態では、一方側のボタン２７（或いは、スナップまたはホックなどでもよい）で構成してあるが、これに限定されるものではない。
【００４７】
さらに、このケース本体２には、図３（Ｂ）に示すように、他方側の側面部分に、携帯通信装置１に設けたブザーによる放音を確認するために音孔２８を設けている。
【００４８】
蓋部３は、ケース本体２の表面側に向けて（例えば図２、図５では、反時計方向）折曲させて開口部２１を閉じることができるようにするため、ケース本体２の裏面側において開口部２１から所定の長さだけ延出して設けられており、ケース本体２上部の開口部２１を開閉可能な状態で塞ぐように構成されている。
【００４９】
特に、この蓋部３では、図２（Ａ）において、左側縁部側の一部を、例えば略半円形状（円弧状）などに切り欠いた切欠部３１を有する固有形状に形成されており、この切欠部３１を設けることにより、蓋部３で開口部２１を閉じたときにも、携帯電話機１１のアンテナ１１Ａの先端部がケース本体２から外部に露出させることができるようになっている。
これにより、ケース本体２に携帯通信装置１を収容させたままの状態で、外部の通信装置など、例えば本実施の形態では、バーコードリーダとの近距離通信や基地局などとの通信を行うことができる。
【００５０】
また、この蓋部３には、ケース本体２の表面側に設けた止付部を構成する一方側のボタン２７に嵌め合わせてしっかりと固定する他方側のボタン３２（同様に、スナップまたはホックなどでもよい）が内面側の先端部寄りに取り付けられており、ケース本体２に収容させた携帯通信装置１が脱落するのを確実に防止できるようになっている。
【００５１】
保持部４は、ケース本体２の蓋部３が延出する裏面側とは反対の表面側から裏面側に向けて（例えば図２、図５では、時計方向）折曲させ、ケース本体２に収納された携帯通信装置１の開口部２１に臨む上面部分を第２緩衝部材５２でしっかりと固定保持するため、ケース本体２の表面側において開口部２１から所定の長さ（少なくとも、蓋部３の長さよりも短く）延出して設けられている。
【００５２】
この保持部４は、蓋部３と同様に開口部２１を塞ぐような状態でケース本体２の内側に向けて折曲させるものであるが、具体的には、ケース本体２に携帯通信装置１を収容させたのちに開口部２１を蓋部３で塞ぐのに先立ち、この保持部４から先に折曲させて開口部２１を塞ぐようになっている。つまり、開口部２１の一部は、この保持部４と蓋部３とで２重に重ねた状態で閉じ合わされているわけである。
【００５３】
第１緩衝部材５１は、ケース本体２に収納された携帯通信装置１の開口部に臨む部分に対向する保持部４内面に固設させて携帯通信装置１を外部の衝撃から保護するものであり、適宜の衝撃吸収材、例えば発泡ウレタンフォームなどを用いた構成となっている。
【００５４】
特に、この第１緩衝部材５１では、図８に示すように、ケース本体２に収容する携帯通信装置１を構成している携帯電話機１１と通信アダプタ１２との双方の筐体部分のうち、特に開口部２１に臨む各上面側の形状に倣った形状、換言すれば、各上面側の形状を補完する固有形状の曲面５１Ａ（図２参照）が形成されている。これにより、この第１緩衝部材５１は、携帯電話機１１と通信アダプタ１２との各上面側に曲面５１Ａの部分が密着するようになっている。
【００５５】
しかも、この第１緩衝部材５１は、蓋部３の裏面に固設するのではなく、この蓋部３とは別に保持部４を設けてその保持部４の裏面に固設している。
【００５６】
即ち、これは、図５に示すような固定部Ｗにケース本体２を固定・保持する場合には、蓋部３の方を大きく開いたときに、この蓋部３は、ケース本体２を固定・保持する固定部Ｗの表面が邪魔になるので、直上位置までしか開放させることができないこととなる。つまり、蓋部３の方は、開閉角度が９０度程度に制限される。
このような事情があるので、大きな回動制限を受ける蓋部３に第１緩衝部材５１を取り付けると、この第１緩衝部材５１が障害となって携帯通信装置１を出し入れするのが難しい。そこで、これを避ける目的で、第１緩衝部材５１を固設する保持部４を蓋部３とは別に設け、そこにこの第１緩衝部材５１を固設させたわけである。
【００５７】
一方、第２緩衝部材５２は、ケース本体２の内面に固設させて携帯通信装置１を外部の衝撃から保護するものであり、第１緩衝部材５１と同様に、適宜の衝撃吸収材、例えば発泡ウレタンフォームなどを用いた構成となっている。
【００５８】
特に、この第２緩衝部材５２では、この第２緩衝部材５２を携帯通信装置１内壁面の全面に亙って配設するのではなく、開口部２１に近い部分のみ、具体的にはケース本体２内面のうち左右両側壁面で、かつ、開口部２１に近い部分のみに設置しており、携帯通信装置１と接触する摩擦面積をできるだけ少なくしてある。
【００５９】
これにより、この第２緩衝部材５２によれば、ケース本体２に作用する外部からの衝撃力を吸収して携帯通信装置１をその衝撃から守るだけでなく、携帯通信装置１に対する第２緩衝部材５２の摩擦力を可及的に抑えることができるため、ケース本体２から携帯通信装置１の出し入れが行い易くなっている。
【００６０】
なお、この第１、第２緩衝部材５１，５２の形成材料としては、特に実施形態のものに限定されるものではなく、各種の適宜材料、例えば伸縮性や弾力性に富む材料などで形成することが可能である。
【００６１】
従って、本実施の形態によれば、前述したように構成することにより、保持部４は開閉動作に制約を受けないので、図５に破線で示すように、保持部４を大きく開放させれば、第１緩衝部材５１もケース本体２から外方へ後退させることができる。その結果、携帯通信装置１をケース本体２へ出し入れするのが容易になり、収容操作が大幅に向上して使い勝手が良くなるものである。
【００６２】
【発明の効果】
以上説明してきたように、本発明は、上部に開口部を有し携帯通信装置を収容する略箱状のケース本体と、ケース本体の一面側において開口部を臨む上部から延設し開口部を塞ぐ蓋部とを備え、携帯通信装置をケース本体に収容した状態で外部との通信を行う携帯通信装置用ケースであって、ケース本体の一面側とは異なる面側において開口部を臨む上部から延設し、開口部を蓋部で塞ぐのに先立ち開口部に向けて折曲させる保持部を有するとともに、保持部の内面には、ケース本体に収納された携帯通信装置の開口部に臨む上面側を保持するための第１緩衝部材を固設している。
【００６３】
従って、本発明によれば、外部からの衝撃に強いだけでなく、収容した状態のまま外部と通信できるとともに、壁などに固定・保持したときにも携帯通信装置の出し入れが容易であり、換言すれば、堅牢性と、収容したまま良好に通信できる通信性と、出し入れ操作の良好な操作性とを兼ね備えた携帯通信装置用ケースを提供することができる。
【図面の簡単な説明】
【図１】本発明の実施の形態に係る携帯通信装置用ケースを示す概略斜視図である。
【図２】図１に示す本発明の携帯通信装置用ケースの全体を示すものであり、（Ａ）は平面図、（Ｂ）は右側面図である。
【図３】図１に示す本発明の携帯通信装置用ケースの要部を示すものであり、（Ａ）は正面図、（Ｂ）は携帯通信装置用ケースの下部側を示す左側面図である。
【図４】図１に示す本発明の携帯通信装置用ケースの底面図である。
【図５】図１に示す本発明の携帯通信装置用ケースを壁面などに固定・保持したときの状態を示す縦断面図ある。
【図６】図１に示す本発明の携帯通信装置用ケースを壁面などに固定・保持したときの状態を示す横断面図ある。
【図７】図１に示す本発明の携帯通信装置用ケースを壁面などに固定・保持したときの状態を示す平面図である。
【図８】図１に示す本発明の携帯通信装置用ケースを壁面などに固定・保持してこのケースに携帯通信装置を収容したときの状態を示す縦断面図ある。
【図９】従来の携帯通信装置用ケースを示すものであり、（Ａ）は携帯通信装置を収容する前の斜視図、（Ｂ）は携帯通信装置を収容後の斜視図である。
【符号の説明】
１      携帯通信装置
１１    携帯電話機
１１Ａ  アンテナ
１２    通信アダプタ
２      ケース本体
２１    開口部
２２    透明窓
２３    透明窓
２４    開口孔
２５    開口孔
２６    透孔
２７    ボタン（止付部）
２８    音孔
３      蓋部
３１    切欠部
３２    ボタン（止付部）
４      保持部
５１    第１緩衝部材
５１Ａ  曲面
５２    第２緩衝部材
６      開閉蓋
７      固定手段
７１    受け具
７１Ａ  係止孔
Ｗ      固定部（壁）
【図１】
2004248887.tif 000004
【図２】
2004248887.tif 000005
【図３】
2004248887.tif 000006
【図４】
2004248887.tif 000007
【図５】
2004248887.tif 000008
【図６】
2004248887.tif 000009
【図７】
2004248887.tif 000010
【図８】
2004248887.tif 000011
【図９】
2004248887.tif 000012